(57)【要約】    【課題】  対象物の美観を損なわず、大きなデータ量の情報を提供することのできるシステムを提供する。    【解決手段】  アドレス対応コードを受けた情報提供端末装置８は、放送局の映像送信装置１２に対し、これを送信する。映像送信装置１２は、受信したアドレス対応コードを電子透かしとして映像に埋め込み、放送プログラム（放送内容）を生成して送信する。情報アドレス取得手段２４は、抽出したアドレス対応コードを、管理サーバ装置４に送信する。管理サーバ装置４の情報アドレス送信手段４４は、記録部４２から、アドレス対応コードとともに記録されている情報アドレスを読み出し、情報受領端末装置２に返信する。情報取得手段２６は、取得した情報アドレスに基づいて、情報提供サーバ装置６にアクセスする。情報提供サーバ装置６の情報送信手段６０は、提供情報を情報受領端末装置２の情報取得手段２６に送信する。【選択図】  図１
2013235553.tif 000002
【特許請求の範囲】
【請求項１】
情報受領端末装置と情報提供端末装置と管理サーバ装置と情報提供サーバ装置を備えた情報提供システムであって、
前記情報受領端末装置は、
透かしデータの埋め込まれた撮像対象を撮像するための撮像部と、
撮像部によって撮像対象を撮像した撮像データから、透かしデータを抽出する透かしデータ抽出手段と、
前記抽出した透かしデータに対応する情報アドレスを、前記管理サーバから取得する情報アドレス取得手段と、
前記取得した情報アドレスに基づいて、前記情報提供サーバから情報を取得する情報取得手段とを備え、
前記管理サーバ装置は、
前記情報提供端末装置から、情報の記録される情報アドレスを受信し、撮像対象物に埋め込む透かしデータに対応づけて記録部に記録する記録手段と、
前記情報受領端末装置から透かしデータを受信すると、記録部を参照して、当該透かしデータに対応する情報アドレスを取得し、前記情報受領端末装置に送信する情報アドレス送信手段とを備え、
前記情報提供サーバ装置は、
前記情報受領端末装置からのアクセスに応じて、前記透かしデータに対応する情報を、前記情報受領端末装置に送信する情報送信手段を備えていることを特徴とする情報提供システム。
【請求項２】
透かしデータの埋め込まれた撮像対象物を撮像するための撮像部と、
撮像部によって撮像対象を撮像した撮像データから、透かしデータを抽出する透かしデータ抽出手段と、
前記抽出した透かしデータに対応する情報アドレスを、管理サーバから取得する情報アドレス取得手段と、
前記取得した情報アドレスに基づいて、情報提供サーバから情報を取得する情報取得手段と、
を備えた情報受領端末装置。
【請求項３】
情報受領端末装置をコンピュータによって実現するための端末プログラムであって、コンピュータを、
透かしデータの埋め込まれた撮像対象を撮像部によって撮像した撮像データから、透かしデータを抽出する透かしデータ抽出手段と、
前記抽出した透かしデータに対応する情報アドレスを、管理サーバから取得する情報アドレス取得手段と、
前記取得した情報アドレスに基づいて、情報提供サーバから情報を取得する情報取得手段と、
して機能させるための情報受領端末プログラム。
【請求項４】
情報提供端末装置から、情報の記録される情報アドレスを受信し、撮像対象に埋め込む透かしデータに対応づけて記録部に記録する記録手段と、
情報受領端末装置から透かしデータを受信すると、記録部を参照して、当該透かしデータに対応する情報アドレスを取得し、前記情報受領端末装置に送信する情報アドレス送信手段と、
を備えた管理サーバ装置。
【請求項５】
管理サーバ装置をコンピュータによって実現するための管理サーバプログラムであって、コンピュータを、
情報提供端末装置から、情報の記録される情報アドレスを受信し、撮像対象に埋め込む透かしデータに対応づけて記録部に記録する記録手段と、
情報受領端末装置から透かしデータを受信すると、記録部を参照して、当該透かしデータに対応する情報アドレスを取得し、前記情報受領端末装置に送信する情報アドレス送信手段として機能させるための管理サーバプログラム。
【請求項６】
請求項１〜５のいすれかのシステム、装置またはプログラムにおいて、
前記透かしデータの埋め込まれた撮像対象は、ディスプレイに表示されたコンテンツであることを特徴とするシステム、装置またはプログラム。
【請求項７】
請求項６のシステム、装置またはプログラムにおいて、
前記ディスプレイに表示されたコンテンツは、写真シール装置によって撮像した画像であり、
前記情報アドレスは、写真シール装置にてユーザが入力したデータを提供する情報提供サーバ装置のアドレスであることを特徴とするシステム、装置またはプログラム。
【請求項８】
請求項６のシステム、装置またはプログラムにおいて、
前記ディスプレイに表示されたコンテンツは、ビデオカメラによって撮像した画像であり、
前記情報アドレスは、ビデオカメラにて撮像した画像に対してユーザが入力したデータ、撮像日時または撮像場所を提供する情報提供サーバ装置のアドレスであることを特徴とするシステム、装置またはプログラム。
【請求項９】
請求項１〜５の何れかのシステム、装置またはプログラムにおいて、
前記透かしデータの埋め込まれた撮像対象は、テレビ受像器に表示された放送コンテンツであることを特徴とするシステム、装置またはプログラム。
【請求項１０】
請求項９のシステム、装置またはプログラムにおいて、
前記放送コンテンツはアニメ放送であり、
前記情報受領端末装置は、ゲーム装置であり、
前記透かしデータには、当該アニメに関するゲームのアイテムを入手可能な情報提供サーバ装置の情報アドレスが記述されていることを特徴とするシステム、装置またはプログラム。
【請求項１１】
請求項９のシステム、装置またはプログラムにおいて、
前記放送コンテンツは俳優またはアナウンサーが登場する放送コンテンツであり、
前記透かしデータには、当該着用物を販売する販売店の情報提供サーバ装置の情報アドレスが記述されていることを特徴とするシステム、装置またはプログラム。
【請求項１２】
請求項９のシステム、装置またはプログラムにおいて、
前記放送コンテンツは料理が登場する放送コンテンツであり、
前記透かしデータには、当該料理のレシピ情報を提供する情報提供サーバ装置の情報アドレスが記述されていることを特徴とするシステム、装置またはプログラム。
【請求項１３】
請求項１〜１２のいずれかのシステム、装置またはプログラムにおいて、
前記管理サーバ装置の情報アドレス送信手段は、同一の透かしデータに対し、現在日時に応じて、異なる情報アドレスを前記情報受領端末装置に送信することを特徴とするシステム、装置またはプログラム。
【請求項１４】
請求項１〜１２のいずれかのシステム、装置またはプログラムにおいて、
前記情報提供サーバ装置は、受信した現在日時に応じて、提供する情報の内容を変更することを特徴とするシステム、装置またはプログラム。
【請求項１５】
請求項１〜１２のいずれかのシステム、装置またはプログラムにおいて、
前記情報受領端末装置の情報アドレス取得手段は、前記透かしデータに対応する情報アドレスを取得するために前記透かしデータを前記管理サーバに送信する際、当該情報受領端末装置のユーザ属性を併せて送信し、
前記管理サーバ装置の情報アドレス送信手段は、同一の透かしデータに対し、前記ユーザ属性に応じて、異なる情報アドレスを前記情報受領端末装置に送信することを特徴とするシステム、装置またはプログラム。
【請求項１６】
請求項１５のいずれかのシステム、装置またはプログラムにおいて、
前記ユーザ属性は、ユーザの性別、年齢、職業、住所、情報受領端末装置の現在位置のいずれか一つを含んでいることを特徴とするシステム、装置またはプログラム。
【請求項１７】
ユーザ端末装置と管理サーバ装置を備えた視聴率計測システムであって、
前記ユーザ端末装置は、
番組を特定するための番組ＩＤを記述した透かしデータの埋め込まれた放送コンテンツを撮像するための撮像部と、
撮像部によって放送コンテンツを撮像した撮像データから、透かしデータを抽出して番組ＩＤを取得する透かしデータ抽出手段と、
前記取得した番組ＩＤを管理サーバ装置に送信する番組ＩＤ送信手段とを備え、
前記管理サーバ装置は、
ユーザ端末装置から番組ＩＤを受信する番組ＩＤ受信手段と、
当該番組ＩＤに基づいて、視聴率を算出するための処理を行う視聴率取得手段とを備えていることを特徴とする視聴率計測システム。
【請求項１８】
番組を特定するための番組ＩＤを記述した透かしデータの埋め込まれた放送コンテンツを撮像するための撮像部と、
撮像部によって放送コンテンツを撮像した撮像データから、透かしデータを抽出して番組ＩＤを取得する透かしデータ抽出手段と、
視聴率を算出するための処理を行ってもらうために、前記取得した番組ＩＤを管理サーバ装置に送信する番組ＩＤ送信手段と、
を備えたユーザ端末装置。
【請求項１９】
ユーザ端末装置をコンピュータによって実現するためのユーザプログラムであって、コンピュータを
番組を特定するための番組ＩＤを記述した透かしデータの埋め込まれた放送コンテンツを撮像するための撮像部と、
撮像部によって放送コンテンツを撮像した撮像データから、透かしデータを抽出して番組ＩＤを取得する透かしデータ抽出手段と、
視聴率を算出するための処理を行ってもらうために、前記取得した番組ＩＤを管理サーバ装置に送信する番組ＩＤ送信手段として機能させるためのユーザプログラム。
【請求項２０】
情報受領端末装置と情報提供端末装置と管理サーバ装置を備えた情報提供システムであって、
前記情報受領端末装置は、
透かしデータの埋め込まれた撮像対象を撮像するための撮像部と、
撮像部によって撮像対象を撮像した撮像データから、透かしデータを抽出する透かしデータ抽出手段と、
前記抽出した透かしデータに対応する提供情報を、前記管理サーバから取得する情報取得手段と、
前記管理サーバ装置は、
前記情報提供端末装置から、提供情報を受信し、撮像対象物に埋め込む透かしデータに対応づけて記録部に記録する記録手段と、
前記情報受領端末装置から透かしデータを受信すると、記録部を参照して、当該透かしデータに対応する提供情報を取得し、前記情報受領端末装置に送信する情報送信手段とを備えた情報提供システムにおいて、
前記管理サーバ装置の情報送信手段は、現在日時に基づいて、送信する提供情報の内容を変えることを特徴とする情報提供システム。
【請求項２１】
情報提供端末装置から、提供情報を受信し、撮像対象物に埋め込む透かしデータに対応づけて記録部に記録する記録手段と、
前記情報受領端末装置から透かしデータを受信すると、記録部を参照して、当該透かしデータに対応する提供情報を取得し、前記情報受領端末装置に送信する情報送信手段とを備えた管理サーバ装置において、
前記情報送信手段は、現在日時に基づいて、送信する提供情報の内容を変えることを特徴とする管理サーバ装置。
【請求項２２】
管理サーバ装置をコンピュータによって実現するための管理サーバプログラムであって、コンピュータを、
情報提供端末装置から、提供情報を受信し、撮像対象物に埋め込む透かしデータに対応づけて記録部に記録する記録手段と、
前記情報受領端末装置から透かしデータを受信すると、記録部を参照して、当該透かしデータに対応する提供情報を取得し、前記情報受領端末装置に送信する情報送信手段として機能させるための管理サーバプログラムにおいて、
前記情報送信手段は、現在日時に基づいて、送信する提供情報の内容を変えることを特徴とする管理サーバプログラム。
【請求項２３】
情報受領端末装置と情報提供端末装置と管理サーバ装置を備えた情報提供システムであって、
前記情報受領端末装置は、
透かしデータの埋め込まれた撮像対象を撮像するための撮像部と、
撮像部によって撮像対象を撮像した撮像データから、透かしデータを抽出する透かしデータ抽出手段と、
前記抽出した透かしデータと前記情報受領端末装置のユーザ属性を前記管理サーバ装置に送信し、前記透かしデータおよび前記ユーザ属性に対応する提供情報を、前記管理サーバから取得する情報取得手段とを備え、
前記管理サーバ装置は、
前記情報提供端末装置から、ユーザ属性に対応する提供情報を受信し、撮像対象物に埋め込む透かしデータに対応づけて記録部に記録する記録手段と、
前記情報受領端末装置から透かしデータおよびユーザ属性を受信すると、記録部を参照して、当該透かしデータおよびユーザ属性に対応する提供情報を取得し、前記情報受領端末装置に送信する情報送信手段と、
を備えた情報提供システム。
【請求項２４】
透かしデータの埋め込まれた撮像対象を撮像するための撮像部と、
撮像部によって撮像対象を撮像した撮像データから、透かしデータを抽出する透かしデータ抽出手段と、
前記抽出した透かしデータと情報受領端末装置のユーザ属性を管理サーバ装置に送信し、前記透かしデータおよび前記ユーザ属性に対応する提供情報を、前記管理サーバから取得する情報取得手段と、
を備えた情報受領端末装置。
【請求項２５】
情報受領端末装置をコンピュータによって実現するための情報受領端末プログラムであって、コンピュータを、
透かしデータの埋め込まれた撮像対象を撮像部によって撮像した撮像データから、透かしデータを抽出する透かしデータ抽出手段と、
前記抽出した透かしデータと情報受領端末装置のユーザ属性を管理サーバ装置に送信し、前記透かしデータおよび前記ユーザ属性に対応する提供情報を、前記管理サーバから取得する情報取得手段として機能させるための情報受領端末プログラム。
【請求項２６】
情報提供端末装置から、ユーザ属性に対応する提供情報を受信し、撮像対象物に埋め込む透かしデータに対応づけて記録部に記録する記録手段と、
前記情報受領端末装置から透かしデータおよびユーザ属性を受信すると、記録部を参照して、当該透かしデータおよびユーザ属性に対応する提供情報を取得し、前記情報受領端末装置に送信する情報送信手段と、
を備えた管理サーバ装置。
【請求項２７】
管理サーバ装置をコンピュータによって実現するための管理サーバプログラムであって、コンピュータを、
情報提供端末装置から、ユーザ属性に対応する提供情報を受信し、撮像対象物に埋め込む透かしデータに対応づけて記録部に記録する記録手段と、
前記情報受領端末装置から透かしデータおよびユーザ属性を受信すると、記録部を参照して、当該透かしデータおよびユーザ属性に対応する提供情報を取得し、前記情報受領端末装置に送信する情報送信手段として機能させるための管理サーバプログラム。
【請求項２８】
請求項２３〜２７のいずれかのシステム、装置またはプログラムにおいて、
前記ユーザ属性は、ユーザの性別、年齢、職業、住所、情報受領端末装置の現在位置のいずれか一つを含んでいることを特徴とするシステム、装置またはプログラム。
【請求項２９】
請求項２３〜２８のいすれかのシステム、装置またはプログラムにおいて、
前記透かしデータの埋め込まれた撮像対象は、ディスプレイに表示されたコンテンツであることを特徴とするシステム、装置またはプログラム。
【請求項３０】
請求項２９のシステム、装置またはプログラムにおいて、
前記ディスプレイに表示されたコンテンツは、写真シール装置によって撮像した画像であり、
前記提供情報は、写真シール装置にてユーザが入力したデータであることを特徴とするシステム、装置またはプログラム。
【請求項３１】
請求項２９のシステム、装置またはプログラムにおいて、
前記ディスプレイに表示されたコンテンツは、ビデオカメラによって撮像した画像であり、
前記提供情報は、ビデオカメラにて撮像した画像に対してユーザが入力したデータ、撮像日時または撮像場所であることを特徴とするシステム、装置またはプログラム。
【請求項３２】
請求項２３〜２８の何れかのシステム、装置またはプログラムにおいて、
前記透かしデータの埋め込まれた撮像対象は、テレビ受像器に表示された放送コンテンツであることを特徴とするシステム、装置またはプログラム。
【請求項３３】
請求項１〜５、２３〜２７の何れかのシステム、装置またはプログラムにおいて、
前記透かしデータの埋め込まれた撮像対象は、雑誌、ちらし、新聞、書籍またはポスターに印刷されていることを特徴とするシステム、装置またはプログラム。
【請求項３４】
請求項１〜５、２３〜２７の何れかのシステム、装置またはプログラムにおいて、
前記透かしデータの埋め込まれた撮像対象は、商品の一部または商品のタグであり、
前記提供情報は、前記商品が真性品であることを示す情報であることを特徴とするシステム、装置またはプログラム。
【請求項３５】
ユーザ端末装置と情報提供端末装置と管理サーバ装置と情報提供サーバとウエブサーバ装置を備えた情報提供システムであって、
前記ユーザ端末装置は、
透かしデータの埋め込まれた撮像対象を撮像するための撮像部と、
撮像部によって撮像対象を撮像した撮像データから、透かしデータを抽出する透かしデータ抽出手段と、
前記抽出した透かしデータに対応する情報アドレスを、前記管理サーバから取得する情報アドレス取得手段と、
前記取得した情報アドレスを撮像部によって撮像した画像にリンクとして貼り付け、前記ウエブサーバ装置にアップロードするアップロード手段とを備え、
前記管理サーバ装置は、
前記情報提供端末装置から、情報の記録される情報アドレスを受信し、撮像対象物に埋め込む透かしデータに対応づけて記録部に記録する記録手段と、
前記情報受領端末装置から透かしデータを受信すると、記録部を参照して、当該透かしデータに対応する情報アドレスを取得し、前記情報受領端末装置に送信する情報アドレス送信手段とを備えていることを特徴とする情報提供システム。
【請求項３６】
透かしデータの埋め込まれた撮像対象を撮像するための撮像部と、
撮像部によって撮像対象を撮像した撮像データから、透かしデータを抽出する透かしデータ抽出手段と、
前記抽出した透かしデータに対応する情報アドレスを、前記管理サーバから取得する情報アドレス取得手段と、
前記取得した情報アドレスを撮像部によって撮像した画像にリンクとして貼り付け、前記ウエブサーバ装置にアップロードするアップロード手段と、
を備えたことを特徴とするユーザ端末装置。
【請求項３７】
ユーザ端末装置をコンピュータによって実現するためのユーザ端末プログラムであって、コンピュータを、
撮像部によって撮像対象を撮像した撮像データから、透かしデータを抽出する透かしデータ抽出手段と、
前記抽出した透かしデータに対応する情報アドレスを、前記管理サーバから取得する情報アドレス取得手段と、
前記取得した情報アドレスを撮像部によって撮像した画像にリンクとして貼り付け、前記ウエブサーバ装置にアップロードするアップロード手段として機能させるためのユーザ端末プログラム。
【請求項３８】
ユーザ端末装置と情報提供端末装置と管理サーバ装置とウエブサーバ装置を備えた情報登録システムであって、
前記ユーザ端末装置は、
透かしデータの埋め込まれた撮像対象を撮像するための撮像部と、
撮像部によって撮像対象を撮像した撮像データから、透かしデータを抽出する透かしデータ抽出手段と、
前記抽出した透かしデータに対応する登録情報を、前記管理サーバから取得する登録情報取得手段と、
前記取得した登録情報を、前記ウエブサーバ装置に送信する登録手段とを備え、
前記管理サーバ装置は、
前記情報提供端末装置から前記登録情報を受信し、撮像対象物に埋め込む透かしデータに対応づけて記録部に記録する記録手段と、
前記情報受領端末装置から透かしデータを受信すると、記録部を参照して、当該透かしデータに対応する登録方法を取得し、前記ユーザ端末装置に送信する登録情報送信手段とを備えていることを特徴とする情報登録システム。
【請求項３９】
透かしデータの埋め込まれた撮像対象を撮像するための撮像部と、
撮像部によって撮像対象を撮像した撮像データから、透かしデータを抽出する透かしデータ抽出手段と、
前記抽出した透かしデータに対応する登録情報を、前記管理サーバから取得する登録情報取得手段と、
前記取得した登録情報を、前記ウエブサーバ装置に送信する登録手段と、
を備えたユーザ端末装置。
【請求項４０】
ユーザ端末装置をコンピュータによって実現するための端末プログラムであって、コンピュータを、
撮像部によって撮像対象を撮像した撮像データから、透かしデータを抽出する透かしデータ抽出手段と、
前記抽出した透かしデータに対応する登録情報を、前記管理サーバから取得する登録情報取得手段と、
前記取得した登録情報を、前記ウエブサーバ装置に送信する登録手段と、
して機能させるためのユーザ端末プログラム。
【請求項４１】
情報提供端末装置から前記登録情報を受信し、撮像対象物に埋め込む透かしデータに対応づけて記録部に記録する記録手段と、
前記情報受領端末装置から透かしデータを受信すると、記録部を参照して、当該透かしデータに対応する登録方法を取得し、前記ユーザ端末装置に送信する登録情報送信手段と、
を備えた管理サーバ装置。
【請求項４２】
管理サーバ装置をコンピュータによって実現するための管理サーバプログラムであって、コンピュータを、
情報提供端末装置から前記登録情報を受信し、撮像対象物に埋め込む透かしデータに対応づけて記録部に記録する記録手段と、
前記情報受領端末装置から透かしデータを受信すると、記録部を参照して、当該透かしデータに対応する登録方法を取得し、前記ユーザ端末装置に送信する登録情報送信手段と、
して機能させるためのユーザ端末プログラム。
【請求項４３】
請求項３８〜４２のいずれかのシステム、装置またはプログラムにおいて、
前記登録情報には、少なくとも、前記撮像対象の画像が含まれることを特徴とするシステム、装置またはプログラム。
【請求項４４】
請求項３８〜４３のいずれかのシステム、装置またはプログラムにおいて、
前記登録情報には、少なくとも、前記ウエブサーバが前記撮像対象の画像を取得するための画像対応データが含まれることを特徴とするシステム、装置またはプログラム。
【請求項４５】
請求項３８〜４４のいずれかのシステム、装置またはプログラムにおいて、
前記登録情報には、少なくとも、前記登録手段を構築するためのプログラムが含まれていることを特徴とするシステム、装置またはプログラム。
【請求項４６】
請求項１〜４５の何れかのシステム、装置またはプログラムにおいて、
前記提供情報には、情報受領端末装置にて実行されるプログラムが含まれていることを特徴とするシステム、装置またはプログラム。
【発明の詳細な説明】
【技術分野】
【０００１】
この発明は、画像などに埋め込まれた透かしデータを用いて情報を提供するシステムに関するものである。
【背景技術】
【０００２】
商品情報など、付加的な情報を提供するためにチラシや雑誌のページにＱＲコード（商標）を付したものがある。ユーザは、このＱＲコード（商標）を携帯情報端末装置などで撮像することにより、ＱＲコード（商標）に記述されたＵＲＬを取得して、付加情報を提供するウエブページを閲覧することができる（特許文献１）。
【０００３】
また、ＱＲコード（商標）に代えて、電子透かしを用いてＵＲＬを記述するものも提案されている（特許文献２の段落００７０）。
【０００４】
以上のようにして、付加情報を提供することができる。
【先行技術文献】
【特許文献】
【０００５】
【特許文献１】特開２００６−１８７２４
【特許文献２】特開２００２−４１３８３
【発明の概要】
【発明が解決しようとする課題】
【０００６】
しかしながら、特許文献１のシステムでは、チラシや雑誌などにＱＲコード（商標）を印刷しなければならず、これらの美観を損なうという問題があった。一方、特許文献２のシステムでは、人間には識別しがたい電子透かしを用いているので、美観を損なうおそれがない。しかし、電子透かしによって埋め込むことが可能なデータ量はＱＲコード（商標）に比べると小さく、ＵＲＬのような大きなデータを埋め込むことは困難であり、豊富な情報を提供することが難しかった。
【０００７】
この発明は、上記のような問題点を解決して、対象物の美観を損なわず、大きなデータ量の情報を提供することのできるシステムを提供することを目的とする。
【課題を解決するための手段】
【０００８】
(1)(2)(3)(4)(5)この発明に係る情報提供システムは、情報受領端末装置と情報提供端末装置と管理サーバ装置と情報提供サーバ装置を備えた情報提供システムであって、
前記情報受領端末装置は、透かしデータの埋め込まれた撮像対象を撮像するための撮像部と、撮像部によって撮像対象を撮像した撮像データから、透かしデータを抽出する透かしデータ抽出手段と、前記抽出した透かしデータに対応する情報アドレスを、前記管理サーバから取得する情報アドレス取得手段と、前記取得した情報アドレスに基づいて、前記情報提供サーバから情報を取得する情報取得手段とを備え、
前記管理サーバ装置は、前記情報提供端末装置から、情報の記録される情報アドレスを受信し、撮像対象物に埋め込む透かしデータに対応づけて記録部に記録する記録手段と、前記情報受領端末装置から透かしデータを受信すると、記録部を参照して、当該透かしデータに対応する情報アドレスを取得し、前記情報受領端末装置に送信する情報アドレス送信手段とを備え、
前記情報提供サーバ装置は、前記情報受領端末装置からのアクセスに応じて、前記透かしデータに対応する情報を、前記情報受領端末装置に送信する情報送信手段を備えていることを特徴としている。
【０００９】
したがって、透かしデータのデータ量を小さくしつつ、情報受領端末装置に対して豊富な情報を提供することができる。
【００１０】
(6)この発明に係る情報提供システムは、透かしデータの埋め込まれた撮像対象が、ディスプレイに表示されたコンテンツであることを特徴としている。
【００１１】
したがって、ディスプレイに表示されるコンテンツに対して、当該コンテンツの美観を損なうことなく付加的に情報を提供することができる。
【００１２】
(7)この発明に係る情報提供システムは、ディスプレイに表示されたコンテンツが、写真シール装置によって撮像した画像であり、情報アドレスは、写真シール装置にてユーザが入力したデータを提供する情報提供サーバ装置のアドレスであることを特徴としている。
【００１３】
したがって、写真シール装置によって撮像した画像について、当該画像の美観を損なうことなく付加的に情報を提供することができる。
【００１４】
(8)この発明に係る情報提供システムは、ディスプレイに表示されたコンテンツが、ビデオカメラによって撮像した画像であり、前記情報アドレスは、ビデオカメラにて撮像した画像に対してユーザが入力したデータ、撮像日時または撮像場所を提供する情報提供サーバ装置のアドレスであることを特徴としている。
【００１５】
したがって、ビデオカメラによって撮像した画像について、当該画像の美観を損なうことなく付加的に情報を提供することができる。
【００１６】
(9)この発明に係る情報提供システムは、透かしデータの埋め込まれた撮像対象が、テレビ受像器に表示された放送コンテンツであることを特徴としている。
【００１７】
したがって、放送コンテンツについて、当該コンテンツの美観を損なうことなく付加的に情報を提供することができる。
【００１８】
(10)この発明に係る情報提供システムは、放送コンテンツがアニメ放送であり、情報受領端末装置がゲーム装置であり、透かしデータには、当該アニメに関するゲームのアイテムを入手可能な情報提供サーバ装置の情報アドレスが記述されていることを特徴としている。
【００１９】
したがって、放送コンテンツの美観を損なうことなく、付加的にゲームアイテムを提供することができる。
【００２０】
(11)この発明に係る情報提供システムは、放送コンテンツは俳優またはアナウンサーが登場する放送コンテンツであり、透かしデータには、当該着用物を販売する販売店の情報提供サーバ装置の情報アドレスが記述されていることを特徴としている。
【００２１】
したがって、放送コンテンツの美観を損なうことなく、販売店のサーバへ誘導することができる。
【００２２】
(12)この発明に係る情報提供システムは、放送コンテンツは料理が登場する放送コンテンツであり、透かしデータには、当該料理のレシピ情報を提供する情報提供サーバ装置の情報アドレスが記述されていることを特徴としている。
【００２３】
したがって、放送コンテンツの美観を損なうことなく、レシピ情報を提供することができる。
【００２４】
(13)この発明に係る情報提供システムは、管理サーバ装置の情報アドレス送信手段が、同一の透かしデータに対し、現在日時に応じて、異なる情報アドレスを前記情報受領端末装置に送信することを特徴としている。
【００２５】
したがって、現在日時に応じた情報の提供を行うことができる。
【００２６】
(14)この発明に係る情報提供システムは、情報提供サーバ装置が、受信した現在日時に応じて、提供する情報の内容を変更することを特徴としている。
【００２７】
したがって、現在日時に応じた情報の提供を行うことができる。
【００２８】
(15)この発明に係る情報提供システムは、情報受領端末装置の情報アドレス取得手段が、前記透かしデータに対応する情報アドレスを取得するために前記透かしデータを前記管理サーバに送信する際、当該情報受領端末装置のユーザ属性を併せて送信し、管理サーバ装置の情報アドレス送信手段は、同一の透かしデータに対し、前記ユーザ属性に応じて、異なる情報アドレスを前記情報受領端末装置に送信することを特徴としている。
【００２９】
したがって、ユーザ属性に応じた情報の提供を行うことができる。
【００３０】
(16)この発明に係る情報提供システムは、ユーザ属性は、ユーザの性別、年齢、職業、住所、情報受領端末装置の現在位置のいずれか一つを含んでいることを特徴としている。
【００３１】
したがって、性別、年齢、職業、住所、情報受領端末装置の現在位置等に基づいて、異なる情報を提供することができる。
【００３２】
(17)(18)(19)この発明に係る視聴率計測システムは、ユーザ端末装置と管理サーバ装置を備えた視聴率計測システムであって、
前記ユーザ端末装置は、番組を特定するための番組ＩＤを記述した透かしデータの埋め込まれた放送コンテンツを撮像するための撮像部と、撮像部によって放送コンテンツを撮像した撮像データから、透かしデータを抽出して番組ＩＤを取得する透かしデータ抽出手段と、前記取得した番組ＩＤを管理サーバ装置に送信する番組ＩＤ送信手段とを備え、
前記管理サーバ装置は、ユーザ端末装置から番組ＩＤを受信する番組ＩＤ受信手段と、当該番組ＩＤに基づいて、視聴率を算出するための処理を行う視聴率取得手段とを備えていることを特徴としている。
【００３３】
したがって、特別な装置を用いることなく、視聴率の算出を行うことができる。
【００３４】
(20)(21)(22)この発明に係る情報提供システムは、情報受領端末装置と情報提供端末装置と管理サーバ装置を備えた情報提供システムであって、
前記情報受領端末装置は、透かしデータの埋め込まれた撮像対象を撮像するための撮像部と、撮像部によって撮像対象を撮像した撮像データから、透かしデータを抽出する透かしデータ抽出手段と、前記抽出した透かしデータに対応する提供情報を、前記管理サーバから取得する情報取得手段と、
前記管理サーバ装置は、前記情報提供端末装置から、提供情報を受信し、撮像対象物に埋め込む透かしデータに対応づけて記録部に記録する記録手段と、前記情報受領端末装置から透かしデータを受信すると、記録部を参照して、当該透かしデータに対応する提供情報を取得し、前記情報受領端末装置に送信する情報送信手段とを備えた情報提供システムにおいて、前記管理サーバ装置の情報送信手段は、現在日時に基づいて、送信する提供情報の内容を変えることを特徴としている。
【００３５】
したがって、現在日時に基づいて提供情報の内容を変更することができる。
【００３６】
(23)(24)(25)(26)(27)この発明に係る情報提供システムは、情報受領端末装置と情報提供端末装置と管理サーバ装置を備えた情報提供システムであって、
前記情報受領端末装置は、透かしデータの埋め込まれた撮像対象を撮像するための撮像部と、撮像部によって撮像対象を撮像した撮像データから、透かしデータを抽出する透かしデータ抽出手段と、前記抽出した透かしデータと前記情報受領端末装置のユーザ属性を前記管理サーバ装置に送信し、前記透かしデータおよび前記ユーザ属性に対応する提供情報を、前記管理サーバから取得する情報取得手段とを備え、
前記管理サーバ装置は、前記情報提供端末装置から、ユーザ属性に対応する提供情報を受信し、撮像対象物に埋め込む透かしデータに対応づけて記録部に記録する記録手段と、前記情報受領端末装置から透かしデータおよびユーザ属性を受信すると、記録部を参照して、当該透かしデータおよびユーザ属性に対応する提供情報を取得し、前記情報受領端末装置に送信する情報送信手段とを備えている。
【００３７】
したがって、ユーザ属性に応じた情報の提供を行うことができる。
【００３８】
(28)この発明に係る情報提供システムは、ユーザ属性は、ユーザの性別、年齢、職業、住所、情報受領端末装置の現在位置のいずれか一つを含んでいることを特徴としている。
【００３９】
したがって、ユーザの性別、年齢、職業などに基づいて、適切な情報を提供することができる。
【００４０】
(29)この発明に係る情報提供システムは、透かしデータの埋め込まれた撮像対象は、ディスプレイに表示されたコンテンツであることを特徴としている。
【００４１】
したがって、ディスプレイに表示されたコンテンツの美観を損なうことなく、情報を提供することができる。
【００４２】
(30)この発明に係る情報提供システムは、ディスプレイに表示されたコンテンツが、写真シール装置によって撮像した画像であり、提供情報は、写真シール装置にてユーザが入力したデータであることを特徴としている。
【００４３】
したがって、写真シールの美観を損なうことなく、情報を提供することができる。
【００４４】
(31)この発明に係る情報提供システムは、ディスプレイに表示されたコンテンツが、ビデオカメラによって撮像した画像であり、提供情報は、ビデオカメラにて撮像した画像に対してユーザが入力したデータ、撮像日時または撮像場所であることを特徴としている。
【００４５】
したがって、ビデオ画像の美観を損なうことなく、情報を提供することができる。
【００４６】
(32)この発明に係る情報提供システムは、透かしデータの埋め込まれた撮像対象が、テレビ受像器に表示された放送コンテンツであることを特徴としている。
【００４７】
したがって、放送コンテンツの美観を損なうことなく、情報を提供することができる。
【００４８】
(33)この発明に係る情報提供システムは、透かしデータの埋め込まれた撮像対象は、雑誌、ちらし、新聞、書籍またはポスターに印刷されていることを特徴としている。
【００４９】
したがって、雑誌やちらしなどの美観を損なうことなく、情報を提供することができる。
【００５０】
(34)この発明に係る情報提供システムは、透かしデータの埋め込まれた撮像対象は、商品の一部または商品のタグであり、提供情報は、前記商品が真性品であることを示す情報であることを特徴としている。
【００５１】
したがって、商品の美観を損なうことなく、真性品情報を提供することができる。
【００５２】
(35)(36)(37)この発明に係る情報提供システムは、ユーザ端末装置と情報提供端末装置と管理サーバ装置と情報提供サーバとウエブサーバ装置を備えた情報提供システムであって、
前記ユーザ端末装置は、透かしデータの埋め込まれた撮像対象を撮像するための撮像部と、撮像部によって撮像対象を撮像した撮像データから、透かしデータを抽出する透かしデータ抽出手段と、前記抽出した透かしデータに対応する情報アドレスを、前記管理サーバから取得する情報アドレス取得手段と、前記取得した情報アドレスを撮像部によって撮像した画像にリンクとして貼り付け、前記ウエブサーバ装置にアップロードするアップロード手段とを備え、
前記管理サーバ装置は、前記情報提供端末装置から、情報の記録される情報アドレスを受信し、撮像対象物に埋め込む透かしデータに対応づけて記録部に記録する記録手段と、前記情報受領端末装置から透かしデータを受信すると、記録部を参照して、当該透かしデータに対応する情報アドレスを取得し、前記情報受領端末装置に送信する情報アドレス送信手段とを備えていることを特徴としている。
【００５３】
したがって、撮像対象に透かしを埋め込むことで、アップロードの際のリンク情報を自動的に生成することができる。
【００５４】
(38)(39)(40)(41)(42)この発明に係る情報登録システムは、ユーザ端末装置と情報提供端末装置と管理サーバ装置とウエブサーバ装置を備えた情報登録システムであって、
前記ユーザ端末装置は、透かしデータの埋め込まれた撮像対象を撮像するための撮像部と、撮像部によって撮像対象を撮像した撮像データから、透かしデータを抽出する透かしデータ抽出手段と、前記抽出した透かしデータに対応する登録情報を、前記管理サーバから取得する登録情報取得手段と、前記取得した登録情報を、前記ウエブサーバ装置に送信する登録手段とを備え、
前記管理サーバ装置は、前記情報提供端末装置から前記登録情報を受信し、撮像対象物に埋め込む透かしデータに対応づけて記録部に記録する記録手段と、前記情報受領端末装置から透かしデータを受信すると、記録部を参照して、当該透かしデータに対応する登録方法を取得し、前記ユーザ端末装置に送信する登録情報送信手段とを備えていることを特徴としている。
【００５５】
したがって、撮像対象に透かしを埋め込むことで、ウエブサーバ装置に対する情報の登録を行うことができる。
【００５６】
(43)この発明に係るシステムは、登録情報には、少なくとも、前記撮像対象の画像が含まれることを特徴としている。
【００５７】
したがって、画像を容易に登録することができる。
【００５８】
(44)この発明に係るシステムは、記登録情報には、少なくとも、前記ウエブサーバが前記撮像対象の画像を取得するための画像対応データが含まれることを特徴としている。
【００５９】
したがって、画像を直接的にウエブサーバに送信しなくとも、画像を登録することができる。
【００６０】
(45)この発明に係るシステムは、登録情報には、少なくとも、前記登録手段を構築するためのプログラムが含まれていることを特徴としている。
【００６１】
したがって、状況に応じた柔軟な処理を行うことができる。
【００６２】
(46)この発明に係るシステムは、提供情報には、情報受領端末装置にて実行されるプログラムが含まれていることを特徴としている。
【００６３】
したがって、より豊富な情報や機能を提供することができる。
【００６４】
この発明において、「情報受領端末装置」は、提供情報または提供情報を受領するために必要な情報を受領する装置をいう。携帯電話装置、携帯情報端末装置、携帯ゲーム装置、ＰＣ、通信機能付きのカメラなどがこれに該当する。
【００６５】
「撮像部」は、撮像対象を撮像するためのものである。通常のカメラ、赤外線カメラ、ＣＣＤセンサアレイなどがこれに該当する。
【００６６】
「透かしデータ抽出手段」は、実施形態では、ステップＳ５２、Ｓ５３がこれに対応する。
【００６７】
「情報アドレス取得手段」は、実施形態では、ステップＳ５３がこれに対応する。
【００６８】
「情報取得手段」は、実施形態では、ステップＳ５７がこれに対応する。
【００６９】
「記録手段」は、実施形態では、ステップＳ１１がこれに対応する。
【００７０】
「情報アドレス送信手段」は、実施形態では、ステップＳ１３がこれに対応する。
【００７１】
情報提供サーバ装置の「情報送信手段」は、実施形態では、ステップＳ１０１がこれに対応する。
【００７２】
管理サーバ装置の「情報送信手段」は、実施形態では、ステップＳ１８がこれに対応する。
【００７３】
なお、この発明において「端末装置」「サーバ装置」の用語は、相対的なものとして用いている。サーバ装置と通信する端末装置が、他の場面では、自らサーバ装置となる場合もある。このような場合、この明細書では、「端末装置」と表現したり「サーバ装置」と表現したりしている。つまり、「端末装置」とは、端末装置になり得るという意味であり、「サーバ装置」はサーバ装置となり得るという意味である。
【００７４】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００７５】
【図１】第一の実施形態による情報提供システムの全体構成図である。
【図２】映像送信装置１２のブロック図である。
【図３】情報受領端末装置２のハードウエア構成である。
【図４】管理サーバ装置４のハードウエア構成である。
【図５】情報提供端末装置８のハードウエア構成である。
【図６】提供情報の登録処理のフローチャートである。
【図７】対応テーブルの例である。
【図８】提供情報取得処理のフローチャートである。
【図９】ＴＶ画像の例と、これを撮像して提供情報に対するリンクが表示された画像の例である。
【図１０】リンクをクリックした結果、表示される提供情報（レシピ）を示す図である。
【図１１】ＴＶ画像の例と、これを撮像して提供情報に対するリンクが表示された画像の例である。
【図１２】複数のリンクを表示する場合の対応テーブルの例である。
【図１３】第二の実施形態による情報提供システムの全体構成である。
【図１４】撮像対象である雑誌のページと、これを撮像して提供情報に対するリンクが表示された画像の例である。
【図１５】第三の実施形態による情報提供システムの全体構成である。
【図１６】提供情報取得処理のフローチャートである。
【図１７】現在時刻によって異なる表示がなされた画像の例である。
【図１８】ユーザ属性により異なるＵＲＬを送信するための対応テーブルの例である。
【図１９】結婚式などにおいて、各出席者に対する感謝のメッセージへのＵＲＬを透かしとして埋め込んだ画像の例である。
【図２０】第四の実施形態による情報提供システムの全体構成である。
【図２１】情報受領処理のフローチャートである。
【図２２】第五の実施形態による視聴率算出システムの全体構成である。
【図２３】第六の実施形態による情報提供システムの全体構成である。
【図２４】第七の実施形態による情報登録システムの全体構成である。
【図２５】情報登録処理のフローチャートである。
【図２６】情報登録処理のフローチャートである。
【図２７】ユーザ端末装置３に表示された画面例である。
【図２８】管理サーバ装置に記録された登録情報の例である。
【図２９】登録した情報をＳＮＳの画面にて表示した例である。
【図３０】ユーザ端末装置３に表示された画面例である。
【発明を実施するための形態】
【００７６】
１．第一の実施形態
1.1全体構成
図１に、この発明の第一の実施形態による情報提供システムの全体構成を示す。このシステムは、情報受領端末装置２、管理サーバ装置４、情報提供サーバ装置６、情報提供端末装置８を備えている。
【００７７】
情報提供を行う主体は、情報提供端末装置８を操作して、管理サーバ装置４に対し、提供したい情報が記録されている情報提供サーバ装置の情報アドレスを送信する。管理サーバ装置４の記録手段４０は、受信した情報アドレスにアドレス対応コードを付して記録部４２に記録する。このアドレス対応コードは、情報提供端末装置８に返信される。
【００７８】
アドレス対応コードを受けた情報提供端末装置８は、放送局の映像送信装置１２に対し、これを送信する。映像送信装置１２は、受信したアドレス対応コードを電子透かしとして映像に埋め込み、放送プログラム（放送内容）を生成して送信する。
【００７９】
図２に、映像送信装置１２の構成を示す。番組内容のプログラムとアドレス対応コードが、プログラムデータ生成部１２０に与えられる。プログラムデータ生成部１２０は、プログラムの映像にアドレス対応コードを電子透かしとして埋め込む。このようにして生成されたプログラムデータは、プログラム記録部１２０に記録される。
【００８０】
システム情報生成部１２４は、制御データなどを生成する。パケット化部１２６は、プログラムデータと制御データをパケット化する。送信部１２８は、このようにパケット化されたプログラムデータと制御データを送信する。
【００８１】
図１に戻って、ＴＶ受像装置１０の画面には、放送プログラムが映し出されている。これを、ユーザの操作によって、情報受領端末装置２の撮像部２０が撮像する。データ抽出手段２２は、撮像した画像に電子透かしとして埋め込まれているアドレス対応コードを抽出する。
【００８２】
情報アドレス取得手段２４は、抽出したアドレス対応コードを、管理サーバ装置４に送信する。管理サーバ装置４の情報アドレス送信手段４４は、記録部４２から、アドレス対応コードとともに記録されている情報アドレスを読み出し、情報受領端末装置２に返信する。
【００８３】
情報受領端末装置２の情報取得手段２６は、取得した情報アドレスに基づいて、情報提供サーバ装置６にアクセスする。情報提供サーバ装置６の情報送信手段６０は、提供情報を情報受領端末装置２の情報取得手段２６に送信する。
【００８４】
以上のようにして、ＴＶ放送にアドレス対応コードを埋め込んでおき、ユーザが携帯電話などの情報受領端末装置２にて撮像することによって、放送内容に関する情報を提供することができる。
【００８５】
1.2ハードウエア構成
図３に、情報受領端末装置２のハードウエア構成を示す。この実施形態では、情報受領端末装置２として、携帯電話装置を用いている。ＣＰＵ３０には、タッチスクリーン３２、カメラ３４、不揮発性メモリ３８、通信回路３６が接続されている。なお、図３においては、通話回路などは省略している。
【００８６】
通信回路３６は、インターネットに接続するためのものである。不揮発性メモリ３８には、アンドロイド（商標）などのオペレーティングシステム３１、情報受領端末プログラム３３が記録されている。情報受領端末プログラム３３は、ＯＳ３１と協働してその機能を発揮するものである。ＯＳ３１、情報受領端末プログラム３３は、記録媒体に記録されていたものを、不揮発性メモリ３８にインストールしたものである。
【００８７】
図４に、管理サーバ装置４のハードウエア構成を示す。ＣＰＵ５０には、メモリ５２、ＣＤ−ＲＯＭドライブ５４、ハードディスク５６、通信回路５８が接続されている。
【００８８】
通信回路５８は、インターネットに接続するためのものである。ハードディスク５６には、WINDOWS（商標）などのオペレーティングシステム５１、管理サーバプログラム５３、対応テーブル５５が記録されている。管理サーバプログラム５３は、ＯＳ５１と協働してその機能を発揮するものである。ＯＳ５１、管理サーバプログラム５３は、ＣＤ−ＲＯＭ５７に記録されていたものを、ＣＤ−ＲＯＭドライブ５４を介して、ハードディスク５６にインストールしたものである。
【００８９】
情報提供サーバ装置６のハードウエア構成も、管理サーバ装置４と同様である。ただし、ハードディスク５６には、管理サーバプログラム５３に代えて、情報提供サーバプログラムが記録される。
【００９０】
図５に、情報提供端末装置８のハードウエア構成を示す。ＣＰＵ９０には、メモリ９２、マウス／キーボード９４、ＣＤ−ＲＯＭドライブ９６、ハードディスク９８、通信回路９９が接続されている。基本的な構成は、管理サーバ装置４と同様である。ただし、ハードディスク９８には、情報提供端末プログラム９３が記録されている。
【００９１】
1.3提供情報登録処理
図６に、提供情報を登録する際の情報提供プログラム９３、管理サーバプログラム５３のフローチャートを示す。なお、ここでは、提供情報は、既に情報提供サーバ装置６に記録されているものとする。
【００９２】
まず、情報提供端末装置８のＣＰＵ９０（以下、情報提供端末装置８と省略する場合がある）は、提供情報の記録されている情報提供サーバ装置４のＵＲＬを管理サーバ装置４に送信する（ステップＳ１）。これを受信した管理サーバ装置４のＣＰＵ５０（以下、管理サーバ装置４と省略する場合がある）は、当該ＵＲＬに対応するコード（ＵＲＬ対応コード）を生成し、ＵＲＬに対応づけて、ハードディスク５６に記録する(ステップＳ１１）。このようにして生成された対応テーブル５５の例を、図７に示す。
【００９３】
次に、管理サーバ装置４は、情報提供端末装置８に対し、ＵＲＬ対応コードを送信する（ステップＳ１２）。ＵＲＬ対応コードを受けた情報提供端末装置８は、これを、映像送信装置１２に送信する（ステップＳ２）。これにより、映像送信装置１２は、対応するプログラム（番組内容）の映像に、ＵＲＬ対応コードを電子透かしとして埋め込んで送信する。
【００９４】
電子透かしの生成方法としては、画像のノイズ部分に人間の目では識別不可能な透かし情報を埋め込む、類似の画像成分が連続する部分に人間の目では識別不可能な透かし情報を埋め込む、量子化ノイズ成分の一部分に人間の目では識別不可能なノイズ成分から構成された透かし情報を埋め込むなどを用いることができる。あるいは、画像の空間周波数の高い領域に、一定のパターンで画像に対する
微量の変更を加えることにより、人間の目では識別が困難な透かし情報を埋め込むといった方法を用いることもできる。画像に対する微量の変更を加える対象としては、画像の輝度情報を用いることができる。
【００９５】
1.4提供情報取得処理
図８に、提供情報を取得する際の情報受領プログラム３３、管理サーバプログラム５３、提供情報サーバプログラムのフローチャートを示す。
【００９６】
まず、ユーザは、情報受領端末装置２のカメラ３４によって、ＴＶ受像装置１０の画面を撮像する（ステップＳ５１）。これにより、放送プログラム（番組内容）の映像が撮像される。図９Ａに、ＴＶ受像装置１０の画面例を示す。
【００９７】
情報受領端末装置２のＣＰＵ３０（以下、情報受領端末装置２と省略する場合がある）は、撮像した画像に電子透かしが埋め込まれているかどうかを判断する（ステップＳ５２）。埋め込まれていなければ、提供情報取得処理を終了する。
【００９８】
埋め込まれていれば、ＵＲＬ対応コードを抽出して、管理サーバ装置４に送信する(ステップＳ５３）。ここでは、ＵＲＬ対応コードとして「３１５９６２３１２５」を抽出したものとする。
【００９９】
ＵＲＬ対応コードを受けた管理サーバ装置４は、図７の対応テーブルを参照して、当該ＵＲＬ対応コードに対応するＵＲＬを取得する。ここでは、「３１５９６２３１２５」に対応するＵＲＬとしてhttp://www.furutani.co.jp/fu_get/...が取得される。さらに、このＵＲＬを、情報受領端末装置２にリンク情報として送信する（ステップＳ１３）。この実施形態では、当該ＵＲＬにリンクされた「付加情報があります」という文字を送信する。具体的には、次に示すようなＨＴＭＬを送信する（ヘッダ情報などは省略している）。なお、ＨＴＭＬに代えてＸＭＬを用いてもよい。
【０１００】
<a href="http://www.furutani.co.jp/fu_get/....">付加情報があります</a>
これを受けた情報受領端末装置２は、撮像した画像に重ねて、上記のリンクを表示する（ステップＳ５４）。このようにして、リンクの表示された画面を、図９Ｂに示す。
【０１０１】
次に、情報受領端末装置２は、図９Ｂの画面のリンクがクリックされたかどうかを判断する（ステップＳ５５）。クリックされなければ、提供情報取得処理を終了する。
【０１０２】
クリックされれば、情報受領端末装置２は、ＵＲＬによって示されるリンク先（つまり情報提供サーバ装置６）にアクセスし、ページ送信を要求する（ステップＳ５６）。
【０１０３】
情報提供サーバ装置６のＣＰＵ（以下、情報提供サーバ装置と省略することがある）は、これを受けて、提供情報の記載されたページを送信する（ステップＳ１０１）。情報受領端末装置２は、これをタッチスクリーン３２に表示する(ステップＳ５７）。
【０１０４】
このようにして情報受領端末装置２に表示された提供情報を図１０に示す。この実施形態では、提供情報としてレシピが提供される。
【０１０５】
以上のようにして、料理が登場する番組において、そのレシピを提供情報として提供することができる。
【０１０６】
1.5その他
(1)上記実施形態では、料理に対するレシピを提供情報としている。しかし、その他、画像に現れているものに関する情報を提供するようにしてもよい。たとえば、ＴＶ受像装置１０の画面（図１１Ａ参照）を情報受領端末装置２にて撮像すると、図１１Ｂに示すようなリンク２１０、２１２、２１４が現れるようにしてもよい。
【０１０７】
図１１Ｂの実施形態では、１つの画面に複数のリンクを表示するようにしている。これは次のようにして実現することができる。図１２に対応テーブルを示す。この対応テーブルにおいては、透かしとして埋め込まれている１つのＵＲＬ対応コードに対し、複数のＵＲＬが対応づけられている。たとえば、ＵＲＬ対応コード「２３５１２５」に対しては、３つのＵＲＬ（一つはmailto）が関連づけられている。
【０１０８】
図１２のテーブルにおいて、「表示名」は、リンクを表示する際に表示される文言である。「表示場所」は、「表示名」の文言を表示する画像上の位置である。なお、この実施形態では、画像の大きさにかかわらず、画像の左上隅を(0,0)、右下隅を(100,100)とする相対的な座標として表示場所を示すようにしている。
【０１０９】
情報を提供する主体は、情報提供端末装置８を用いて、これらの情報を管理サーバ装置４に登録しておく。
【０１１０】
情報受領処理の際、情報受領端末装置２は、ＵＲＬ対応コードを抽出して管理サーバ装置４に送信する（ステップＳ５３）。管理サーバ装置４は、これを受けて、対応するＵＲＬのリンク情報を返信する（ステップＳ１３）。たとえば、ＵＲＬ対応コードが「２３５１２５」であれば、図１２の３つのＵＲＬが読み出され、図１１Ｂのように情報受領端末装置２において表示がなされる。
【０１１１】
(2)上記実施形態では、情報受領端末装置２において透かしデータの抽出を行っている。しかし、管理サーバ装置４にてこれを行うようにしてもよい。この場合、情報受領端末装置２から管理サーバ装置４に対し、撮像画像を送信すればよい。
【０１１２】
このようにすることで、管理サーバ装置４において透かしデータの抽出を行うので、情報受領端末装置２が不正に提供情報を得るのを防ぐことができる。
【０１１３】
また、情報受領端末装置２において、透かしデータを取得できるかどうかを判断し、透かしデータが取得できるもののみを管理サーバ装置４に送信するようにしてもよい。
【０１１４】
(3)上記実施形態では、情報受領端末装置２として携帯電話を用いている。しかし、携帯ゲーム装置を用いてもよい。たとえば、ＴＶのアニメ放送に情報アドレス対応コードを埋め込んでおく。当該アニメに関連したゲームをプレイすることのできる携帯ゲーム装置にて、アニメ放送を撮像する。これにより、提供情報として、アイテムなどのゲーム関連データを得ることができるようにする。
【０１１５】
(4)上記実施形態では、ＴＶ受像装置の画面に表示されたコンテンツを撮像対象としたが、ＰＣ装置のディスプレイに表示されたコンテンツを撮像対象としてもよい。
【０１１６】
(5)上記実施形態では、ＴＶ受像装置の画面に表示されたコンテンツを撮像対象としたが、街頭や公共機関などに設置された案内ディスプレイに表示されたコンテンツを撮像対象としてもよい。
【０１１７】
(6)上記実施形態では、情報提供端末装置８から提供情報を管理サーバ４に登録するようにしている。しかし、管理サーバ４から直接的に、提供情報を登録するようにしてもよい。
【０１１８】
(7)上記実施形態では、ステップＳ５２において電子透かしの有無を判断し、ステップＳ５３にて透かしデータを抽出するようにしている。しかし、透かしデータの抽出処理をしなければ、電子透かしの有無を判別できないような場合には、ステップＳ５２とＳ５３は一体的に実行されることになる。
【０１１９】
(8)なお、以下の実施形態におけるその他の実施形態は、その本質に反しない限り、本実施形態においても適用することができる。
【０１２０】
２．第二の実施形態
2.1全体構成
図１３に、第二の実施形態よる情報提供システムの全体構成を示す。この実施形態では、紙などの媒体に印刷された画像を撮像対象としている。
【０１２１】
情報提供を行う主体は、情報提供端末装置８を操作して、管理サーバ装置４に対し、提供したい情報が記録されている情報提供サーバ装置の情報アドレスを送信する。管理サーバ装置４の記録手段４０は、受信した情報アドレスにアドレス対応コードを付して記録部４２に記録する。このアドレス対応コードは、情報提供端末装置８に返信される。
【０１２２】
アドレス対応コードを受けた情報提供端末装置８は、これを印刷装置１３に与える。印刷装置１３は、所定の画像に、アドレス対応コードを電子透かしとして埋め込む。さらに、印刷装置１３は、これを雑誌として印刷する。
【０１２３】
アドレス対応コードが埋め込まれた雑誌のページを、情報受領端末装置２の撮像部２０によって撮像する。データ抽出手段２２は、撮像した画像に電子透かしとして埋め込まれているアドレス対応コードを抽出する。
【０１２４】
情報アドレス取得手段２４は、抽出したアドレス対応コードを、管理サーバ装置４に送信する。管理サーバ装置４の情報アドレス送信手段４４は、記録部４２から、アドレス対応コードとともに記録されている情報アドレスを読み出し、情報受領端末装置２に返信する。
【０１２５】
情報受領端末装置２の情報取得手段２６は、取得した情報アドレスに基づいて、情報提供サーバ装置６にアクセスする。情報提供サーバ装置６の情報送信手段６０は、提供情報を情報受領端末装置２の情報取得手段２６に送信する。
【０１２６】
以上のようにして、雑誌の写真などにアドレス対応コードを埋め込んでおき、ユーザが携帯電話などの情報受領端末装置２にて撮像することによって、関連する情報を提供することができる。
【０１２７】
たとえば、図１４Ａに示すような雑誌の写真にアドレス対応コードを埋め込んでおき、これを情報受領端末装置２にて撮像することにより、図１４Ｂのようなリンク２２０付きの画像を得ることができる。リンク２２０をクリックすることで、画像として示されている旅館の
2.2ハードウエア構成、処理フローチャート
情報受領端末装置２、管理サーバ装置４、情報提供サーバ装置６、情報提供端末装置８のハードウエア構成は、第一の実施形態と同様である。また、これらの処理フローチャートも、第一の実施形態と同様である。
【０１２８】
2.3その他
(1)上記実施形態では、雑誌の写真を撮像対象としたが、チラシの写真、看板広告、印刷された写真シール（商品名プリクラとして知られているもの）などを撮像対象としてもよい。
【０１２９】
(2)さらに、ブランド品に付いているタグの表示、商品の一部などを撮像対象とし、商品に関する情報を提供するようにしてもよい。たとえば、タグなどに透かしを埋め込んでおき、当該商品が真性品であることを表示できるようにしてもよい。
【０１３０】
(3)なお、第一の実施形態や以下の実施形態におけるその他の実施形態は、その本質に反しない限り、本実施形態においても適用することができる。
【０１３１】
３．第三の実施形態
3.1全体構成
図１５に、第三の実施形態による情報提供システムの全体構成を示す。このシステムは、情報受領端末装置２、管理サーバ装置４、情報提供サーバ装置６、情報提供端末装置８を備えている。
【０１３２】
情報提供を行う主体は、情報提供端末装置８を操作して、管理サーバ装置４に対し、提供したい情報が記録されている情報提供サーバ装置の情報アドレスを送信する。この際、あわせて、当該提供情報を提供可能な期間を送信する。たとえば、提供情報が商品やサービス購入の割引券であれば、これを入手できる期限を送信する。管理サーバ装置４の記録手段４０は、受信した情報アドレスにアドレス対応コードを付し、さらに期限を付けて記録部４２に記録する。また、このアドレス対応コードは、情報提供端末装置８に返信される。
【０１３３】
アドレス対応コードを受けた情報提供端末装置８は、画像などのコンテンツに、このアドレス対応コードを電子透かしとして埋め込む。これを、ウエブサーバ装置１７にアップロードする。
【０１３４】
ユーザＰＣ１５は、ウエブサーバ装置１７にアップロードされた画像を表示する。これを、ユーザの操作によって、情報受領端末装置２の撮像部２０が撮像する。データ抽出手段２２は、撮像した画像に電子透かしとして埋め込まれているアドレス対応コードを抽出する。
【０１３５】
情報アドレス取得手段２４は、抽出したアドレス対応コードを、管理サーバ装置４に送信する。管理サーバ装置４の情報アドレス送信手段４４は、現在日時が当該アドレス対応コードに関連づけて記録されている期限を過ぎていないかどうかを判断する。過ぎていれば、期限が過ぎている旨の情報を、情報受領端末装置２に返信する。
【０１３６】
期限が過ぎていなければ、記録部４２から、アドレス対応コードとともに記録されている情報アドレスを読み出し、情報受領端末装置２に返信する。
【０１３７】
期限が過ぎていない場合、情報受領端末装置２の情報取得手段２６は、取得した情報アドレスに基づいて、情報提供サーバ装置６にアクセスする。情報提供サーバ装置６の情報送信手段６０は、提供情報を情報受領端末装置２の情報取得手段２６に送信する。
【０１３８】
以上のようにして、ウエブコンテンツにＵＲＬ対応コードを埋め込んでおき、ユーザが携帯電話などの情報受領端末装置２にて撮像することによって、期限付きでウエブコンテンツに関する情報を提供することができる。
【０１３９】
3.2ハードウエア構成、処理フローチャート
情報受領端末装置２、管理サーバ装置４、情報提供サーバ装置６、情報提供端末装置８のハードウエア構成は、第一の実施形態と同様である。また、これらの処理フローチャートも、第一の実施形態とほぼ同様である。
【０１４０】
図１６に、提供情報の取得処理のフローチャートを示す。ＵＲＬ対応コードを受けた管理サーバ装置４は、ハードディスク５６に記録された対応テーブルを参照し（図１５参照）、当該ＵＲＬ対応コードに関連づけて記録されている期限を取得する。さらに、管理サーバ装置４は、内蔵のカレンダー回路から現在日時を取得し、期限内であるかどうかを判断する（ステップＳ１４）。
【０１４１】
期限内でなければ、期限経過の旨の表示を情報受領端末装置２に送信する（ステップＳ１５）。期限内であれば、ＵＲＬ対応コードに対応するＵＲＬを取得し、リンク情報を生成して、情報受領端末装置２に送信する（ステップＳ１６）。
【０１４２】
これを受けて、情報受領端末装置２は表示を行う(ステップＳ５４）。図１７Ａは、期限切れの場合に行われる表示である。図１７Ｂは、期限内である場合に行われる表示である。
【０１４３】
3.3その他
(1)上記実施形態では、期限を設定するようにしている。しかし、開始日時と終了日時を設定し、当該期間内（期間外）である場合にのみ、リンク情報を表示するようにしてもよい。
【０１４４】
(2)上記実施形態では、管理サーバ装置４にて現在日時を取得するようにしている。しかし、情報受領端末装置２において、現在日時を取得し、これを管理サーバ装置４に送信して、期限内であるかどうかを判断するようにしてもよい。
【０１４５】
(3)上記実施形態では、期限を経過している場合には、期限経過の表示を行うようにしている。しかし、管理サーバ装置４は、現在日時に基づいて、異なる内容のリンク情報を送信するようにしてもよい。たとえば、現在日時が４月であれば桜に関する情報、１月であればスキーに関する情報というように、予め情報を登録しておき、管理サーバ装置４から送信する内容を変えるようにしてもよい。また、時間帯によって提供する情報を変えるようにしてもよい。
【０１４６】
(4)上記実施形態では、日時によってリンク先のＵＲＬを変更し、提供情報の内容を変えるようにしている。しかし、ユーザ属性に基づいて、リンク先のＵＲＬを変更するようにしてもよい。
【０１４７】
図１８に、ユーザ属性に基づいてＵＲＬを変更する場合に用いる対応テーブルを示す。この対応テーブルは、情報提供を行う主体が、情報提供端末装置８を操作して管理サーバ装置４に登録したものである。
【０１４８】
この例では、情報受領端末装置２の現在位置（ＧＰＳによって取得可能）を、ＵＲＬ対応コードとともに、管理サーバ装置４に送信する。管理サーバ装置４は、情報受領端末装置２の現在位置（つまりユーザの現在位置）に基づいて、それが、東日本であるか西日本であるかを判断し、対応するＵＲＬを返信する。
【０１４９】
このようにすることで、ユーザの現在位置に基づいて、より好ましい情報を提供することが可能となる。
【０１５０】
なお、ユーザ属性としては、性別、年齢、住所、携帯電話のメーカなどを用いることができる。管理サーバ装置４において、これらのユーザ属性を記録することにより、いずれのコンテンツがどのようなユーザに閲覧されたかを解析することができる。
【０１５１】
ユーザ属性を利用した応用例を、図１９に示す。結婚式のエンディングで、画面２５０には、結婚した２人の画像が流れている。参加者が、これを携帯電話（情報受領端末装置２）にて撮像すると、各個人向けのメッセージが携帯電話に表示される。これは、次のようにして実現可能である。
【０１５２】
予め、各人ごとにメッセージ（提供情報）を異なるＵＲＬにて情報提供サーバ装置６に記録しておく。また、管理サーバ装置４には、図１８の対応テーブルにおけるユーザ属性として、各人の電話番号を記録し、これに対応づけてそれぞれのメッセージが記録されたＵＲＬを記録しておく。
【０１５３】
画面２５０に映し出されている画像には、ＵＲＬ対応コードが埋め込まれている。各人が携帯電話にてこれを撮像する。携帯電話は、ＵＲＬ対応コードを抽出し、自らの電話亜番号とともに管理サーバ装置４に送信する。管理サーバ装置４は、対応テーブルを参照し、ＵＲＬ対応コード、電話番号に基づいて、ＵＲＬを取得し、リンク情報を携帯電話に返信する。各人は、このリンク情報をクリックすることによって、自分宛のメッセージを携帯電話に表示することができる。
【０１５４】
(5)上記実施形態では、管理サーバ装置４は、受信したユーザ属性や現在日時に基づいて、異なるＵＲＬを送信するようにしている。しかし、管理サーバ装置４は、ユーザ属性や現在日時に拘わらず、同じＵＲＬを送信するようにし、ユーザ属性や現在日時を記録するようにしてもよい。これにより、撮像対象がどのようなユーザに何時撮像されたかを解析することができる。
【０１５５】
(6)上記実施形態では、ユーザ属性や現在日時に基づいて、異なるＵＲＬを情報受領端末装置２に送信するようにしている。しかし、情報受領端末装置２が、情報提供サーバ装置６にアクセスする際に、ユーザ属性などを送信するようにし、これに応じて、情報提供サーバ装置６が、ユーザ属性や現在日時に応じて提供情報を変えるようにしてもよい。
【０１５６】
(7)なお、第一、第二の実施形態や以下の実施形態におけるその他の実施形態は、その本質に反しない限り、本実施形態においても適用することができる。
【０１５７】
４．第四の実施形態
4.1全体構成
図２０に、第四の実施形態による情報提供システムの全体構成を示す。このシステムは、情報受領端末装置２、管理サーバ装置４、写真シール装置９を備えている。
【０１５８】
上記各実施形態では、ＵＲＬ対応コードに対応づけて、提供情報の記録されているＵＲＬを、情報受領端末装置２に送信するようにしている。この実施形態では、情報対応コードを電子透かしとして画像に埋め込んでおき、この情報対応コードに対応づけて、提供情報を情報受領端末装置２に送信する。つまり、ＵＲＬを介さずに、ダイレクトに提供情報を送信するようにしている。
【０１５９】
写真シール装置９は、ユーザを撮像し、これをシールとして印刷して出力する装置である。この実施形態では、撮像の後、ユーザによってメッセージ（提供情報）を入力できるようにしている。写真シール装置９は、入力されたメッセージを管理サーバ装置４に送信する。管理サーバ装置４の記録手段４０は、受信したメッセージに情報対応コードを付して記録部４２に記録する。この情報対応コードは、写真シール装置９に返信される。
【０１６０】
情報対応コードを受けた写真シール装置９は、この情報対応コードを電子透かしとして撮像画像に埋め込む。さらに、写真シール装置９は、情報対応コードの埋め込まれた撮像画像を、写真シール７として印刷する。
【０１６１】
情報対応コードが埋め込まれた写真シール７を、情報受領端末装置２の撮像部２０によって撮像する。データ抽出手段２２は、撮像した画像に電子透かしとして埋め込まれている情報対応コードを抽出する。
【０１６２】
情報取得手段２６は、抽出した情報対応コードを、管理サーバ装置４に送信する。管理サーバ装置４の情報送信手段４５は、記録部４２から、情報対応コードとともに記録されているメッセージ（提供情報）を読み出し、情報受領端末装置２に返信する。情報受領端末装置２は、このメッセージを表示する。
【０１６３】
このようにして、写真シールにメッセージを埋め込んで、友人などにあげることができる。
【０１６４】
4.2ハードウエア構成
情報受領端末装置２、管理サーバ装置４のハードウエア構成は、第一の実施形態と同様である。
【０１６５】
4.3処理フローチャート
図２１に、情報受領処理のフローチャートを示す。まず、情報受領端末装置２は、写真シール７を撮像する（ステップＳ５１）。次に、情報受領端末装置２は、電子透かしが取得できるかどうかを判断する（ステップＳ５２）。取得できなければ、処理を終了する。
【０１６６】
取得できれば、電子透かしとして抽出した情報対応コードを、管理サーバ装置４に送信する（ステップＳ５３）。情報対応コードを受けた管理サーバ装置４は、ハードディスク５６に記録されている対応テーブルを参照して、これに対応するメッセージ（提供情報）を読み出す。そして、これを情報受領端末装置２に送信する（ステップＳ１８）。
【０１６７】
メッセージを受信した情報受領端末装置２は、これを表示する（ステップＳ５７）。
【０１６８】
4.4その他
(1)上記実施形態では、写真シールを撮像対象としている。しかし、撮影したビデオ画像に情報対応コードを埋め込んで、これを撮像対象としてもよい。この場合、例えば、提供情報として、撮像日、撮像場所などを提供情報とすることができる。
【０１６９】
(2)上記実施形態では、写真シールに情報対応コードを埋め込んでいる。しかし、写真シール装置からユーザ端末装置に送信されてくる写真データに情報対応コードを埋め込むようにしてもよい。
【０１７０】
(3)この実施形態では、情報アドレス対応コードではなく、情報対応コードを埋め込むようにしている。情報対応コードの埋め込みは、第一、第二、第三の実施形態、第五以下の実施形態についても適用することができる。
【０１７１】
(4)なお、第一、第二、第三の実施形態や以下の実施形態におけるその他の実施形態は、その本質に反しない限り、本実施形態においても適用することができる。
【０１７２】
５．第五の実施形態
5.1全体構成
図２２に、第五の実施形態による視聴率算出システムを示す。ＴＶ放送の番組中に、番組を識別するための番組ＩＤを電子透かしとして埋め込む。ＴＶ受像装置１０は、この番組の映像を表示する。ユーザ端末装置３（携帯電話など）の撮像部２０は、これを撮像する。データ抽出手段２２は、番組映像に埋め込まれた番組ＩＤを抽出する。番組ＩＤ送信手段２５は、抽出された番組ＩＤを、管理サーバ装置４に送信する。
【０１７３】
管理サーバ装置４の番組ＩＤ受信手段４６は、番組ＩＤを受信する。視聴率取得手段４８は、受信した番組ＩＤに基づいて当該番組の視聴率を算出する。なお、視聴率の算出は、他の多くのユーザ端末装置３から送られてくる番組ＩＤを集計して、その比率を算出することにより行うことができる。
【０１７４】
5.2その他
(1)上記実施形態では、視聴率を計測するようにしている。しかし、広告画像に広告ＩＤを埋め込んでおき、広告効果を計測するようにしてもよい。
【０１７５】
(2)ユーザ端末装置３から、管理サーバ装置４に番組ＩＤを送信する際に、ユーザ属性を併せて送信するようにしてもよい。管理サーバ装置４は、これに基づいて、どのようなユーザが番組を見ているかを解析することができる。
【０１７６】
(3)なお、第一、第二、第三、第四の実施形態や以下の実施形態におけるその他の実施形態は、その本質に反しない限り、本実施形態においても適用することができる。
【０１７７】
６．第六の実施形態
6.1全体構成
図２３に、第六の実施形態による情報提供システムの全体構成を示す。この実施形態では、ユーザ端末装置３で撮像した画像を、ユーザのブログなどにアップロードする際に、自動的に当該画像にリンク情報を生成することができるようにしている。たとえば、雑誌などに店舗の紹介を掲載する際に、その写真にアドレス対応コードを埋め込んでおく。ユーザがこれを撮像して、アップロードすると、当該店舗のＨＰへのリンクが自動的に生成される。
【０１７８】
情報提供を行う主体は、情報提供端末装置８を操作して、管理サーバ装置４に対し、提供したい情報が記録されている情報提供サーバ装置の情報アドレスを送信する。管理サーバ装置４の記録手段４０は、受信した情報アドレスにアドレス対応コードを付して記録部４２に記録する。このアドレス対応コードは、情報提供端末装置８に返信される。
【０１７９】
アドレス対応コードを受けた情報提供端末装置８は、これを印刷装置１３に与える。印刷装置１３は、所定の画像に、アドレス対応コードを電子透かしとして埋め込む。さらに、印刷装置１３は、これを雑誌として印刷する。
【０１８０】
アドレス対応コードが埋め込まれた雑誌のページを、ユーザ端末装置３の撮像部２０によって撮像する。データ抽出手段２２は、撮像した画像に電子透かしとして埋め込まれているアドレス対応コードを抽出する。
【０１８１】
情報アドレス取得手段２４は、抽出したアドレス対応コードを、管理サーバ装置４に送信する。管理サーバ装置４の情報アドレス送信手段４４は、記録部４２から、アドレス対応コードとともに記録されている情報アドレスを読み出し、ユーザ端末装置３に返信する。
【０１８２】
ユーザ端末装置３のアップロード手段２８は、撮像部２０によって撮像された画像に、上記の情報アドレスをリンク情報として貼り付け、ユーザのブログを記録しているサーバ装置に送信する。
【０１８３】
6.2その他
(1)上記実施形態では、雑誌を撮像対象としている。しかし、商品の表面、ＴＶ画面などを撮像対象としてもよい。
【０１８４】
(2)なお、第一、第二、第三、第四、第五の実施形態や以下の実施形態におけるその他の実施形態は、その本質に反しない限り、本実施形態においても適用することができる。
【０１８５】
７．第七の実施形態
図２４に、第七の実施形態による情報登録システムの全体構成を示す。この実施形態では、ユーザ端末装置３で撮像した画像を、ユーザのＳＮＳ（ソーシャル・ネットワーキング・サービス）のページに登録することができるようにしている。たとえば、雑誌などに商品の紹介写真などを掲載する際に、その写真に登録情報対応コードを埋め込んでおく。ユーザがこれをユーザ端末装置３で撮像すると、登録確認ボタンが表示される。ユーザがこれをクリックすると、当該商品の紹介写真が、そのユーザのＳＮＳのページに自動的に登録される。
【０１８６】
登録情報を提供する主体は、情報提供端末装置８を操作して、管理サーバ装置４に対し、登録情報（ここでは、商品の紹介写真など）を送信する。管理サーバ装置４の記録手段４０は、受信した登録情報に登録情報対応コードを付して記録部４２に記録する。この登録情報対応コードは、情報提供端末装置８に返信される。
【０１８７】
登録情報対応コードを受けた情報提供端末装置８は、これを印刷装置１３に与える。印刷装置１３は、所定の画像（ここでは、上記商品の紹介写真）に、登録情報対応コードを電子透かしとして埋め込む。さらに、印刷装置１３は、これを雑誌として印刷する。
【０１８８】
登録情報対応コードが埋め込まれた雑誌のページを、ユーザ端末装置３の撮像部２０によって撮像する。データ抽出手段２２は、撮像した画像に電子透かしとして埋め込まれている登録情報対応コードを抽出する。
【０１８９】
登録情報取得手段８０は、抽出した登録情報対応コードを、管理サーバ装置４に送信する。管理サーバ装置４の登録情報送信手段８４は、記録部４２から、登録情報対応コードとともに記録されている登録情報を読み出し、ユーザ端末装置３に返信する。
【０１９０】
ユーザ端末装置３の登録手段８２は、この登録情報をＳＮＳのウエブサーバ装置に送信して、当該ユーザのページに登録する。
【０１９１】
図２５、図２６に、この実施形態におけるユーザ端末装置３の端末プログラム、管理サーバ装置４のサーバプログラム、ＳＮＳウエブサーバ装置のサーバプログラムのフローチャートを示す。
【０１９２】
ユーザの操作により、ユーザ端末装置３の撮像部２０は、雑誌中の商品の画像などを撮像する（ステップＳ５１）。ユーザ端末装置３は、撮像した画像中に電子透かしが埋め込まれているかどうかを判断する（ステップＳ５２）。埋め込まれていなければ、情報登録の処理行わない。埋め込まれていれば、図２７に示すように、ユーザ端末装置３のタッチスクリーン３２に、登録確認ボタン８３を表示する（ステップＳ５８）。この実施形態では、登録確認ボタン８３として「いいね」ボタンを表示するようにしている。
【０１９３】
ユーザ端末装置３は、この登録確認ボタン８３がユーザによってクリックされたかどうかを判断する（ステップＳ５９）。クリックされた場合、ユーザ端末装置３は、電子透かしとして埋め込まれている登録情報対応コードを抽出し、管理サーバ装置４に送信する（ステップＳ６０）。
【０１９４】
管理サーバ装置４は、ハードディスク５６に記録されている、登録情報対応コードに対応する登録情報を読み出して、ユーザ端末装置３に送信する（ステップＳ１８）。図２８に、管理サーバ装置４のハードディスク５６に記録されている登録情報および登録情報対応コードの例を示す。この例では、登録情報として、写真の他、タイトル、種別、説明などが登録情報として記録されている。なお、登録情報に記録する情報の形式は、ＳＮＳにおいて一般に利用される規約（たとえば、Open Graph Protocol）に従い、さらに登録情報の項目はこの規約によって定められた項目とすることができる。
【０１９５】
登録情報を受信したユーザ端末装置３は、予め定められているＳＮＳウエブサーバ装置にアクセスしてログイン要求を行う（ステップＳ６１）。この際、ユーザ端末装置３は、不揮発性メモリ３８に記録されているＳＮＳウエブサーバ装置に対する当該ユーザのログイン情報（ユーザ名、パスワードなど）を読み出し、これを伴ってログイン要求を行う。
【０１９６】
ＳＮＳウエブサーバ装置は、送られてきたログイン情報に基づいて認証を行う（ステップＳ１０１）。正しいユーザ名とパスワードであれば、認証ＯＫの旨をユーザ端末装置３に返信する。
【０１９７】
これを受けて、ユーザ端末装置３は、管理サーバ装置４から取得した登録情報をＳＮＳウエブサーバ装置に送信する（ステップＳ６２）。ＳＮＳウエブサーバ装置は、この登録情報を、当該ユーザのページに登録する（ステップＳ１０２）。これにより、図２９に示すように、当該ユーザのＳＮＳのページに、登録情報に基づいて構成された記事２０１が登録される。
【０１９８】
7.2その他
(1)上記実施形態では、雑誌を撮像対象として電子透かしを埋め込んでいるいる。しかし、商品の表面、ＴＶ画面などを撮像対象として電子透かしを埋め込むようにしてもよい。
【０１９９】
(2)上記実施形態では、登録先のＳＮＳウエブサーバ装置を１つに定めている。しかし、図３０に示すように、ステップＳ５８において、複数のＳＮＳウエブサーバ装置への登録ボタンを表示するようにしてもよい。ボタン８３はフェイスブック（商標）に対する登録ボタン、ボタン８７はグーグルプラス（商標）に対する登録ボタンである。ユーザ端末装置３は、いずれのボタンが押されたかによって、登録するＳＮＳウエブサーバ装置を決定する。
【０２００】
なお、登録先のＳＮＳウエブサーバ装置によって、異なる登録情報を用いる場合（たとえば項目が異なる場合など）には、複数の登録情報（いずれのＳＮＳ用であるかの識別符号を含める）を透かしデータとして埋め込んでおき、いずれのボタンが押されたかによって選択して用いるようにしてもよい。
【０２０１】
(3)上記実施形態では、ユーザ端末装置３からＳＮＳウエブサーバ装置に対して写真などを含む登録情報を送信するようにしている。しかし、ＳＮＳウエブサーバ装置の側において、写真などの情報およびこれに対応するＩＤを予め記録しておき、ユーザ端末装置３からＳＮＳウエブサーバ装置に対して当該ＩＤを送信するようにしてもよい。この場合、管理サーバ装置４のハードディスク５６には、登録情報対応コードに対応づけて、当該ＩＤが登録情報として記録されることになる。
【０２０２】
(4)上記実施形態では、ユーザ端末装置３に図２５、図２６に示すようなプログラム予めを記録している。しかし、その一部または全部を、管理サーバ装置４からユーザ端末装置３に送信する登録情報に含めるようにしてもよい。たとえば、図２６のステップＳ６１、Ｓ６２の処理を行うプログラムを、ＪＡＶＡスクリプト（商標）として、図２５のステップＳ１８において管理サーバ装置４から送信するようにしてもよい。
【０２０３】
(5)上記実施形態では、予め用意して記録しておいた写真をＳＮＳウエブサーバ装置に登録するようにしている。しかし、ユーザ端末装置３にてステップＳ５１にて撮像した写真をＳＮＳウエブサーバ装置に登録するようにしてもよい。
【０２０４】
(6)なお、第一、第二、第三、第四、第五、第六の実施形態や以下の実施形態におけるその他の実施形態は、その本質に反しない限り、本実施形態においても適用することができる。
【０２０５】
８．その他
(1)上記各実施形態では、対応コードを電子透かしとして埋め込んでいる。しかし、提供情報自体を電子透かしとして埋め込むようにしてもよい。たとえば、絵本に、説明文や音声データを埋め込むことにより、携帯電話などで撮像することにより説明を表示したり、音声を聞いたりすることができる。
【０２０６】
(2)各実施形態における撮像対象などは、互いに組み合わせて適用することができる。たとえば、第三の実施形態における撮像対象を、第一の実施形態におけるＴＶ画像とすることができる。
【０２０７】
(3)上記各実施形態では、管理サーバ装置４にて対応コードを生成している。しかし、情報提供端末装置の側で、対応コードを生成し情報アドレスと組にして、管理サーバ４に送るようにしてもよい。
【０２０８】
(4)各文字フォントのデータに、当該文字のコードを電子透かしとして埋め込むようにしてもよい。これにより、ＯＣＲのような複雑な処理をしなくとも、確実に文字コードを復元することができる。
【０２０９】
(5)上記各実施形態では、データを提供情報としている。しかし、プログラムを提供情報としてもよい。
【図１】
2013235553.tif 000003
【図２】
2013235553.tif 000004
【図３】
2013235553.tif 000005
【図４】
2013235553.tif 000006
【図５】
2013235553.tif 000007
【図６】
2013235553.tif 000008
【図７】
2013235553.tif 000009
【図８】
2013235553.tif 000010
【図９】
2013235553.tif 000011
【図１０】
2013235553.tif 000012
【図１１】
2013235553.tif 000013
【図１２】
2013235553.tif 000014
【図１３】
2013235553.tif 000015
【図１４】
2013235553.tif 000016
【図１５】
2013235553.tif 000017
【図１６】
2013235553.tif 000018
【図１７】
2013235553.tif 000019
【図１８】
2013235553.tif 000020
【図１９】
2013235553.tif 000021
【図２０】
2013235553.tif 000022
【図２１】
2013235553.tif 000023
【図２２】
2013235553.tif 000024
【図２３】
2013235553.tif 000025
【図２４】
2013235553.tif 000026
【図２５】
2013235553.tif 000027
【図２６】
2013235553.tif 000028
【図２７】
2013235553.tif 000029
【図２８】
2013235553.tif 000030
【図２９】
2013235553.tif 000031
【図３０】
2013235553.tif 000032